(57)【要約】      （修正有）【課題】既存の屋外貯蔵物に上屋を後で建設するスライド工法において、スライド移動中の柱脚水平反力を抑制する。【解決手段】スライド用レールを屋外貯蔵物１の両側に上屋組立て場所まで延長して敷設する。部分架構3aを、柱頭部Dと梁端部BDとの接合部は剛接合、柱頭部Cと梁端部BCとの接合部は回転許容接合として組立てる。剛接合側の柱脚部Fと梁Bの中間部とを繋ぐテンション材T1と、回転許容接合側の梁端部BCと梁Ｂの中間部とを繋ぐテンション材T2を、交差させかつ屋外貯蔵物1に干渉しない高さに取付ける。テンション材T1,T2に張力ｔを導入する。部分架構3aを所定位置までスライド移動させる。部分架構3aの構築とスライド移動を必要回数繰り返す。スライド移動が全て完了後、柱頭部Cと梁端部BCとの接合部に挿入部材を追加して剛接合にする。その後、テンション材T1,T2の張力tを解除し、撤去する。【選択図】図７
2019082056.tif 000002
【特許請求の範囲】
【請求項１】
屋外貯蔵物を挟んでその両側に敷設されるスライド用レールと、前記屋外貯蔵物の上屋架構の組立て場所で組み立てられ、前記スライド用レールの上をスライド移動して前記屋外貯蔵物の上に設置される複数の部分架構からなる屋外貯蔵物の上屋の構築工法であって、以下の工程を含むことを特徴とする屋外貯蔵物の上屋の構築工法。
（１）前記屋外貯蔵物を挟んでその両側の全長に亘り、スライド用レールを敷設する工程。
（２）前記スライド用レールを前記上屋架構の組立て場所まで更に延長して敷設する工程。
（３）前記上屋架構の組立て場所にて、前記屋外貯蔵物両側のスライド用レールの上をそれぞれスライド移動する複数の柱と、前記屋外貯蔵物を跨いで当該両柱間に架け渡される複数の梁とからなり、かつ前記両柱のうちの一方の柱の柱頭部と前記梁の一方の梁端部との接合部を剛接合、他方の柱の柱頭部と前記梁の他方の梁端部との接合部を回転許容接合とした複数の部分架構を組立てる工程。
（４）前記部分架構に対して、両側の前記柱の柱頭部と前記梁の梁端部との接合部間またはその接合部近傍間にテンション材を設置する工程。
（５）前記テンション材に張力を導入して、前記部分架構を構造的に自立させる工程。
（６）自立した前記部分架構を前記屋外貯蔵物の所定位置まで前記スライド用レールの上をスライド移動させる工程。
（７）工程（３）〜（６）を、前記屋外貯蔵物の全体もしくはその必要な範囲を覆うまで繰り返す工程。
（８）前記部分架構のスライド移動工程が全て完了した後、回転許容接合されている側の柱頭部と梁端部との接合部に挿入部材を追加して、当該接合部を剛接合する工程。
（９）その後、前記テンション材の張力を解除し、当該テンション材を撤去する工程。
【請求項２】
屋外貯蔵物を挟んでその両側に敷設されるスライド用レールと、前記屋外貯蔵物の上屋架構の組立て場所で組み立てられ、前記スライド用レールの上をスライド移動して前記屋外貯蔵物の上に設置される複数の部分架構からなる屋外貯蔵物の上屋の構築工法であって、以下の工程を含むことを特徴とする屋外貯蔵物上屋の構築工法。
（１）前記屋外貯蔵物を挟んでその両側の全長に亘り、スライド用レールを敷設する工程。
（２）前記スライド用レールを前記上屋架構の組立て場所まで更に延長して敷設する工程。
（３）前記上屋架構の組立場所にて、前記屋外貯蔵物の両側のスライド用レールの上をそれぞれスライド移動する複数の柱と、前記屋外貯蔵物を跨いで当該両柱間に架け渡される複数の梁とからなり、かつ前記両柱のうちの一方の柱の柱頭部と前記梁の一方の梁端部との接合部を剛接合、他方の柱の柱頭部と前記梁の他方の梁端部との接合部を回転許容接合とした複数の部分架構を組み立てる工程。
（４）前記部分架構の剛接合側の柱脚部もしくはその柱脚部近傍と前記梁の中間部との間、および前記回転許容接合側の柱頭部と前記梁端部との接合部もしくはその接合部近傍と前記梁の中間部との間に、テンション材をそれぞれ両者相互に交差するように、かつ前記屋外貯蔵物と干渉しないように設置する工程。
（５）前記テンション材に張力を導入して、前記部分架構を構造的に自立させる工程。
（６）自立した前記部分架構を前記屋外貯蔵物の所定位置まで前記スライド用レールの上をスライド移動させる工程。
（７）工程（３）〜（６）を、前記屋外貯蔵物の全体もしくはその必要な範囲を覆うまで繰り返す工程。
（８）前記部分架構のスライド移動工程が全て完了した後、回転許容接合側の柱頭部と梁端部との接合部に挿入部材を取り付けて、当該接合部を剛接合する工程。
（９）その後、前記テンション材の張力を解除し、当該テンション材を撤去する工程。
【請求項３】
屋外貯蔵物を挟んでその両側に敷設されるスライド用レールと、前記屋外貯蔵物の上屋架構の組立て場所で組み立てられ、前記スライド用レールの上をスライド移動して前記屋外貯蔵物の上に設置される複数の部分架構からなる屋外貯蔵物の上屋の構築工法であって、以下の工程を含むことを特徴とする屋外貯蔵物上屋の構築工法。
（１）前記屋外貯蔵物を挟んでその両側の全長に亘り、スライド用レールを敷設する工程。
（２）前記スライド用レールを前記上屋架構の組立て場所まで更に延長して敷設する工程。
（３）前記上屋架構の組立て場所にて、前記屋外貯蔵物の両側のスライド用レールの上をそれぞれスライド移動する複数の柱と、前記屋外貯蔵物を跨いで当該両柱間に架け渡される複数の梁とからなり、かつ前記両柱のうちの一方の柱の柱頭部と前記梁の一方の梁端部との接合部を剛接合、他方の柱の柱頭部と前記梁の他方の梁端部との接合部を回転許容接合とした複数の部分架構を組み立てる工程。
（４）前記部分架構の両側の柱の柱頭部と前記梁端部との接合部、もしくはその接合部近傍と前記梁の中間部との間に、テンション材をそれぞれ両者相互に交差するように、かつ前記屋外貯蔵物に干渉しないようにそれぞれ設置する工程。
（５）前記テンション材に張力を導入して、前記部分架構を構造的に自立させる工程。
（６）自立した前記部分架構を前記屋外貯蔵物の所定位置まで前記スライド用レールの上をスライド移動させる工程。
（７）工程（３）〜（６）を、前記屋外貯蔵物の全体もしくは必要な範囲を覆うまで繰り返す工程。
（８）部分架構のスライド移動工程が全て完了した後、回転許容接合側の柱頭部と梁端部との接合部に挿入部材を追加して、当該接合部を剛接合にする工程。
（９）その後、前記テンション材の張力を解除し、当該テンション材を撤去する工程。
【請求項４】
屋外貯蔵物を挟んでその両側に敷設されるスライド用レールと、前記屋外貯蔵物の上屋架構の組立て場所で組み立てられ、前記スライド用レールの上をスライド移動して前記屋外貯蔵物の上に設置される複数の部分架構からなる屋外貯蔵物の上屋架構であって、前記部分架構は、前記屋外貯蔵物両側のスライド用レールの上をそれぞれスライド移動する複数の柱と、当該柱部間に前記屋外貯蔵物を跨いで架け渡される複数の梁とからなり、前記屋外貯蔵物両側の柱のうち、一方の柱の柱頭部と前記梁の一端部は剛接合され、他方の柱の柱頭部と前記梁の他端部は回転許容接合され、当該回転許容接合は回転を固定する挿入部材によって剛接合され、かつ前記剛接合側および回転許容接合側の柱頭部と梁端部との接合部相互間もしくはそれら接合部近傍相互間、または前記剛接合側の柱脚部もしくはその柱脚部近傍と前記梁の中間部間、および前記梁の回転許容接合側の柱頭部と梁端部との接合部もしくはその接合部近傍と前記梁の中間部間、或いは前記梁の剛接合側および回転許容接合側の両端部もしくはそれらの近傍と前記梁の中間部間に張力導入用のテンション材が設置されていることを特徴とする屋外貯蔵物の上屋架構。
【請求項５】
請求項４記載の屋外貯蔵物の上屋架構において、剛接合側の少なくとも一部の梁端部にエネルギー吸収部材が組み込まれていることを特徴とする屋外貯蔵物の上屋架構。
【発明の詳細な説明】
【技術分野】
【０００１】
本発明は、屋外に積み付けされた燃料用木質チップや石炭等の屋外貯蔵物を覆う屋外貯蔵物の上屋の構築工法および上屋架構に関する。
【背景技術】
【０００２】
燃料用木質チップや石炭等（以下、貯蔵物と称す）を貯蔵する場合、屋外貯蔵方式と屋内貯蔵方式がある。屋内貯蔵方式の場合は貯蔵物上屋を先に建設してから、貯蔵物を収蔵するのが通常であるが、屋外貯蔵の貯蔵物（以下、屋外貯蔵物と称す）をそ
の場所に存置のまま、貯蔵物上屋を後で建設する場合があった。
【０００３】
屋外貯蔵物は、搬入されたヤードの所定位置に、概ね一定の高さで円錐状や堤防状に積み付けされるので、その裾野はかなりの広がりを持つことになる。従って、その貯蔵物上屋は大張間架構となるが、屋外貯蔵物が存置された状態で上屋架構を構築するため、ベント等の支保工を用いる一般的な施工法は適用できない。
【０００４】
そのため、図１に図示のように、屋外貯蔵物１の両側に仮設のスライド用レール２、２を敷設し、屋外貯蔵物１に近接した場所で上屋３の部分架構３ａ、３ｂ、…もしくは上屋３全体を架設した後、仮設のスライド用レール２、２上を、矢印の方向に移動させるスライド工法が採用される場合があった。
【０００５】
スライド工法の場合、移動中も上屋３の部分架構３ａ、３ｂ、…を構造的に安定させる必要があるが、図２に図示のように、柱脚部Ｆ、Ｆには、鉛直反力ＲV（鉛直矢印で表示）の他に、柱脚部Ｆ、Ｆが外側へ開こうとする大きな水平力に抵抗する水平反力ＲH（水平矢印で表示）が作用する。そのため、従来のスライド工法では、柱脚部Ｆ、Ｆからの大きな水平力に抵抗できる連続した剛強な基礎を、全長に亘って構築する必要があったので、本来の基礎工事費とは別に費用が発生した。
【０００６】
しかも、仮設のスライド用レール２、２には、外側に広がろうとする柱脚部Ｆ、Ｆからの大きな水平力が常に作用しているので、スライド移動中の十分な安全対策が必要であった。
【０００７】
スライド移動中の部分架構３ａ、３ｂ、…の柱脚部Ｆ、Ｆの水平力を抑制する方法として、例えば、梁間方向に両側柱の柱脚部Ｆ、Ｆ同士をつなぐテンション材を水平に設け、張力を導入して、水平方向に開こうとする大きな水平力と釣り合せる工法が考えられる。しかし、屋外貯蔵物１があるため、部分架構３ａ、３ｂ、…がその上を移動する時、前記テンション材と干渉するので、この方法は採用できない。
【０００８】
大張間架構のスライド工法についての先行技術としては、例えば、特許文献１、２がある。特許文献１は、アーチ形架構を持つ重層建物がレールに沿って移動する際に、前記アーチ形架構の足元同士を１階梁で構成された繋ぎ材で連結することにより、前記アーチ形架構の足元に作用するスラストを処理して、スラスト支持用のレールを不要とするスライド工法である。
【０００９】
この工法では、建物の最下層（１階）の梁にスラストを処理させるので、スライドの進行方向途中に既存物があると、その梁と干渉する。従って、特許文献１のスライド工法は、スライド進行方向に障害物が何もないことを前提としたものである。
【００１０】
特許文献２は、既にある柱列の各柱頭部に転がり支持装置を設置し、その転がり支持装置に架渡した移動用ビームに屋根架構を載置してスライドする工法であり、屋根架構の両側梁同士をタイバーで繋いで屋根架構の拡がりを抑制することにより、前記柱頭部に水平力を作用させないでスライドする方法が開示されている。
【００１１】
この工法では、スライドする以前に柱が既に設置されており、その上に屋根架構を架設するので、柱の高さまでの既存物があっても、スライド中に前記タイバーが前記既存物と干渉することはないが、前記タイバーの高さ以上の既存物がある場合には適用不可である。
【００１２】
従って、特許文献１、２に開示されている先行技術では、屋外存置の既存物を覆う上屋を、柱と屋根架構一体でスライドする工法(図１参照)においては、柱脚部のスラストを抑制するという課題の解決はできない。また、その課題に対する解決策を示唆する記述もない。
【先行技術文献】
【特許文献】
【００１３】
【特許文献１】特開平６−３１６９７５号公報
【特許文献２】特開平９−７２００４号公報
【発明の概要】
【発明が解決しようとする課題】
【００１４】
本発明は、屋外貯蔵物をその場所に存置のまま、上屋を後で建設する工法としてスライド工法を用いる場合において、屋外貯蔵物に干渉することなく、前記上屋のスライド移動中における柱脚部の水平反力を抑制し、従来のスライド工法に比べて基礎工事費を縮減できる屋外貯蔵物の上屋の構築工法およびその上屋架構を提供することを目的とするものである。
【課題を解決するための手段】
【００１５】
本発明は、屋外貯蔵物を挟んでその両側に敷設されるスライド用レールと、前記屋外貯蔵物の上屋架構の組立て場所で組み立てられ、前記スライド用レールの上をスライド移動して前記屋外貯蔵物の上に設置される複数の部分架構からなる屋外貯蔵物の上屋の構築工法の発明であり、以下の工程を含むことを特徴とする。
（１）前記屋外貯蔵物を挟んでその両側の全長に亘り、スライド用レールを敷設する工程。
（２）前記スライド用レールを、前記上屋架構の組立て場所まで更に延長して敷設する工程。
（３）前記上屋架構の組立て場所にて、前記屋外貯蔵物両側のスライド用レールの上をそれぞれスライド移動する複数の柱と、前記屋外貯蔵物を跨いで当該両柱間に架け渡される複数の梁とからなり、かつ前記両柱のうちの一方の柱の柱頭部と前記梁の一方の梁端部との接合部を剛接合、他方の柱の柱頭部と前記梁の他方の梁端部との接合部をある程度回転を許容する回転許容接合とした部分架構を前記スライド用レールの敷設方向に複数組み立てる工程。
（４）前記部分架構に対して、両側の前記柱の柱頭部と前記梁の梁端部との接合部間
もしくはその接合部近傍間にテンション材を設置する工程(図４、５参照)。
なお、前記部分架構において、ある程度回転を許容する接合状態とした回転許容接合および前記剛接合の位置より下方部分を柱、上方部分を梁と称する。
（５）前記テンション材に張力を導入して、前記部分架構を構造的に自立させる工程。
（６）自立した前記部分架構を前記屋外貯蔵物の所定位置まで、前記スライド用レールの上をスライド移動させる工程。
（７）工程（３）〜（６）を、前記屋外貯蔵物の全体もしくはその必要な範囲を覆うまで繰り返す工程。
（８）前記部分架構のスライド移動工程が全て完了した後、回転許容接合されている側の柱頭部と梁端部との接合部に、前記回転許容接合部の回転を固定する挿入部材を取り付ける工程。
（９）その後、前記テンション材の張力を解除し、かつ前記テンション材を撤去する工程。
【００１６】
なお、工程（４）と（５）に代えて、剛接合側の柱脚部もしくはその柱脚部近傍と前記梁の中間部との間、および前記回転許容接合側の柱頭部と前記梁の梁端部との接合部もしくはその接合部近傍と前記梁の中間部との間に、それぞれテンション材を両者相互に交差するように、かつ前記屋外貯蔵物と干渉しないように設置し、当該テンション材に張力を導入して、前記部分架構を構造的に自立させる工程でもよい(図７、８参照)。
【００１７】
また、前記剛接合側の柱頭部もしくはその柱頭部近傍と前記梁の中間部との間、および前記回転許容接合側の柱頭部と前記梁端部との接合部もしくはその接合部近傍と、前記梁の中間部との間に、それぞれテンション材を両者相互に交差するように、かつ前記屋外貯蔵物と干渉しないように設置し、当該テンション材に張力を導入して前記部分架構を構造的に自立させる工程とすることもできる(図１０、１１参照)。
【００１８】
また、上記何れの構築工法においても、前記部分架構相互を連結する時点は、（イ）各部分架構をスライド移動する直前、（ロ）各部分架構が所定位置までスライド移動工程を完了した後、もしくは上屋架構全体(全ての部分架構)のスライド移動工程が完了した後であって、前記テンション材の張力を解除する前の２通りが考えられる。
【００１９】
前者（イ）では、スライド移動する前なので、部分架構の連結数が増えるとスライド重量が重くなるため、大容量のスライド装置が必要になる点が不利である。
【００２０】
また、後者（ロ）では、スライド重量は１回分の部分架構重量のみなのでスライド装置の容量は小さくてよいが、スライド１回分の移動距離が長いので施工時間が長くなる点が不利である。
本発明の屋外貯蔵物の上屋架構は、上屋架構の組立て場所で組立てられた複数の部分架構を、前記屋外貯蔵物を挟んでその両側に敷設されたスライド用レールの上を前記屋外貯蔵物の所定位置までスライド移動させ、屋外貯蔵物の上を覆うように設置して構築される上屋架構であり、前記部分架構が前記屋外貯蔵物の両側のスライド用レールの上をそれぞれスライド移動する複数の柱と、当該両柱間に前記屋外貯蔵物を跨いで架け渡された複数の梁とを備え、かつ前記屋外貯蔵物両側の柱のうち、一方の柱の柱頭部と前記梁の一端部は剛接合され、他方の柱の柱頭部と前記梁の他端部は回転許容接合と当該回転許容接合の回転を固定する挿入部材とによって剛接合されていることを特徴とする。
また特に、前記部分架構の剛接合側および回転許容接合側の柱頭部と梁端部との接合部相互間、または前記剛接合側の柱脚部と前記梁の中間部間、および前記梁の回転許容接合側の梁端部と前記梁の中間部間、或いは前記梁の剛接合側および回転許容接合側の両梁端部もしくはその近傍と前記梁の中間部間に張力を導入するためのテンション材がそれぞれ設置されていることで、部分架構を屋外貯蔵物の所定位置までスライド用レールの上をスライド移動させる間、前記テンション材に張力を導入して部分架構を構造的に自立させることにより、スライド用レールを支える基礎を特に剛強にしなくても部分架構のスライド移動をきわめて安全に行うことができる。
また、部分架構の数量を、屋外貯蔵物の積み付け量に応じてスライド用レールの敷設方向に増減することにより、最適規模の上屋架構をきわめて容易にかつ経済的に構築することができる。
【００２１】
さらに、部分架構の剛接合側の少なくとも一部の梁端部（柱頭部と梁との接合部もしくはその近傍）に座屈拘束ブレース等のエネルギー吸収部材を組み込むことにより、複数の部分架構を屋外貯蔵物の所定位置に設置して上屋架構が完成した後だけでなく、部分架構のスライド移動中に発生する地震に対しても安全性を高めることができる。
【発明の効果】
【００２２】
本発明は、以上のような手段によるので、次のような効果が得られる。
既存の屋外貯蔵物に、スライド工法にて上屋を架設する際に、
（１）移動中の部分架構の柱脚部に水平反力を生じさせることなく、かつ部分架構の柱頭部が外側に水平変位（柱が傾斜）するのを抑制するテンション材が、高く積み付けされた屋外貯蔵物と干渉することもなく、スライド移動が実行できる。
（２）部分架構のスライド移動中に、部分架構の柱脚部に水平反力が生じないので、安全性が高い。
（３）従って、スライド移動時の水平反力に対する基礎の補強が、移動区間全長に亘り不要になる。
（４）よって、従来のスライド工法の場合に比べて、基礎工事費を大幅に縮減できる。
（５）部分架構の梁端部に座屈拘束ブレース等のエネルギー吸収部材を組み込むことにより、上屋完成後だけでなく、スライド移動中に発生する地震に対しても安全性が向上する。
【図面の簡単な説明】
【００２３】
【図１】屋外貯蔵物に上屋を架設するスライド工法のイメージ斜視図である。
【図２】従来のスライド工法における、上屋移動中の柱脚部反力の状態を示す図である。
【図３】上屋の片側柱の柱頭部と梁との接合部を回転許容接合にした場合の変形と柱脚部反力の状態を示す図である。
【図４】本発明の第１実施例であり、上屋のスライド移動中の状態を示す説明図である。
【図５】本発明の第１実施例において、スライド移動工程完了後でテンション材撤去直前の架構の状態を示す図である。
【図６】本発明の第１実施例において、スライド移動工程完了後でテンション材撤去後の柱脚部反力の状態を示す図である。
【図７】本発明の第２実施例であり、上屋のスライド移動中の状態を示す説明図である。
【図８】本発明の第２実施例において、スライド移動工程完了後でテンション材撤去直前の架構の状態を示す図である。
【図９】本発明の第２実施例において、スライド移動工程完了後でテンション材撤去後の柱脚部反力の状態を示す図である。
【図１０】本発明の第３実施例であり、上屋のスライド移動中の状態を示す説明図である。
【図１１】本発明の第３実施例において、スライド移動工程完了後でテンション材撤去直前の架構の状態を示す図である。
【図１２】本発明の第３実施例において、スライド移動工程完了後でテンション材撤去後の柱脚部反力の状態を示す図である。
【発明を実施するための形態】
【００２４】
図１〜図３に図示する通り、本発明の屋外貯蔵物の上屋は、屋外貯蔵物１を挟んでその両側に敷設されたスライド用レール２、２間に屋外貯蔵物１の上方をスライド用レール２、２の軸直角方向にアーチ形状に跨いで構築された上屋架構３を備え、当該上屋架構３は、スライド用レール２、２の敷設方向に一定長ごとに組み立てられた複数の部分架構３ａ、３ｂ、…より構築されている。
部分架構３ａ、３ｂ、…は、スライド用レール２、２の上に屋外貯蔵物１を挟んでそれぞれ設置された複数の柱Ａ1、Ａ2と当該柱Ａ1、Ａ2間に屋外貯蔵物１の上方をスライド用レール２、２の軸直角方向に跨いでそれぞれ設置された複数のアーチ形状の梁Ｂ、Ｂとから構成されている。
柱Ａ1の柱頭部Ｄと梁Ｂの梁端部ＢDおよび柱Ａ2の柱頭部Ｃと梁Ｂの梁端部ＢCは、共に剛接合され、特に柱Ａ2の柱頭部Ｃと梁Ｂの梁端部ＢCは、組立て途中においてはある程度回転を許容する状態で接合され(回転許容接合)、組立て完了後に挿入部材ｍを追加することにより剛接合されている。
続いて、本発明の屋外貯蔵物の上屋の構築工法の第１実施例を説明する（図１および図３乃至図６を参照）。
（１）最初に、円錐状や堤防状に積み付けされた屋外貯蔵物１を挟んでその両側の全長に亘り、スライド用レール２、２を敷設する（図１）。
（２）次に、スライド用レール２、２を上屋架構３の組立て場所まで更に延長して、上屋架構３の部分架構３ａ、３ｂ、…の組み立てに必要な位置まで敷設する（図１参照）。
（３）次に、上屋架構３の組立て場所にて、スライド用レール２、２の上をスライド用レール２、２の敷設方向にスライド移動する部分架構３ａ、３ｂ、…を組み立てる（図３参照）。部分架構３ａ、３ｂ、…は、屋外貯蔵物１の積み付け量に応じて最適数を組み立てる。
組み立てに際しては、まず、スライド用レール２、２の上に複数の柱Ａ1と柱Ａ2をそれぞれスライド用レール２、２の軸方向に一定間隔をおいて設置し、当該各柱Ａ1と柱Ａ2間にそれぞれ梁Ｂを屋外貯蔵物１の上方をスライド用レール２の軸直角方向に跨いで設置する。
そして、柱Ａ1の柱頭部Ｄと梁Ｂの梁端部ＢDとを剛接合し(以下「剛接合部ｎ1」)、反対側の柱Ａ2の柱頭部Ｃと梁Ｂの梁端部ＢCとをある程度回転を許容する接合状態に接合する(以下「回転許容接合部ｎ2」)。
（４）次に、組み立てられた各部分架構３ａ、３ｂ、…に対して、屋外貯蔵物１の高さが、剛接合部ｎ1側の梁端部ＢDと回転許容接合部ｎ2側の梁端部ＢCとを結ぶ直線Ｌの位置よりも低い場合においては、梁Ｂの両端部ＢCとＢD間にテンション材Ｔ1を水平にかけ渡して梁Ｂの両梁端部ＢCとＢDをテンション材Ｔ1によって繋ぐ（図４参照）。
（５）次に、テンション材Ｔ1に張力ｔを導入して、部分架構３ａ、３ｂ、…を構造的に安定させて自立させる（図４参照）。
（６）次に、自立した各部分架構３ａ、３ｂ、…を、スライド用レール２、２の上を順にスライドさせて屋外貯蔵物１の所定位置までスライド移動させる（図４参照）。
（７）工程（３）〜（６）を、屋外貯蔵物１の全体もしくはその必要な範囲を覆うまで繰り返す。
（８）次に、部分架構３ａ、３ｂ、…のスライド移動工程が全て完了した後、各部分架構３ａ、３ｂ、…の回転許容接合部ｎ2側の柱頭部Ｃと梁Ｂの端部ＢCとの接合部に挿入部材ｍを追加して、柱Ａ2の柱頭部Ｃと梁Ｂの梁端部ＢCとの接合部を剛接合する（図５参照）。また、部分架構３ａ、３ｂ、…どうしを互いに接合する。
（９）そして、その後、テンション材Ｔ1の張力ｔを解除し、テッション材Ｔ1を撤去して上屋架構３の組み立てを完了する（図６参照）。
【００２５】
第１実施例は以上の通りであるので、次のような特徴がある。図２に図示した従来のスライド工法では、部分架構３ａ、３ｂ、…の各柱Ａ1、Ａ2の柱脚部Ｆ、Ｆに水平反力ＲH（水平矢印で表示）が発生するが、図３に図示のように、柱Ａ2の柱頭部Ｃと梁部Ｂの梁端部ＢCとの接合部をある程度回転を許容した回転許容接合にすれば、通常、柱脚部Ｆ、Ｆもある程度回転可能なので、部分架構３ａ、３ｂ…の自重によって、柱Ａ2の柱頭部Ｃには外側に水平変位δが生じ、柱脚部Ｆ、Ｆに水平反力ＲHは発生しない。即ち、柱頭柱脚共に回転許容接合の柱が水平方向のローラー機構を形成するためである。この時、部分架構３ａ、３ｂ、…の張間方向の水平剛性は、剛接剛部ｎ1側の柱Ａ1に頼ることになり、図３の二点鎖線で表示のように、回転許容接合部ｎ2側の柱Ａ2は外側に傾斜し、梁Ｂは撓むが、大張間架構であることから、これらの変形量は大きいので、設計通りの架構を構築できない。
【００２６】
そこで、第１実施例は、図４に図示のように、組み立てられた部分架構３ａ、３ｂ、…に対して、回転許容接合側の梁端部ＢCと剛接合側の梁端部ＢDとを結ぶ直線Ｌの位置よりも、屋外貯蔵物１の高さが低い場合において、梁Ｂの両梁端部ＢCとＢDを繋ぐテンション材Ｔ1を取り付け、更に、回転許容接合部ｎ2側の柱Ａ2の柱頭部Ｃの水平変位δがほぼ零になるように、張力ｔをテンション材Ｔ1に導入する工法である。よって、柱脚部Ｆ、Ｆに水平反力ＲHを発生させることなく、かつ変形量を制御できるので、設計通りの架構を構築することが可能になる。
【００２７】
また、本実施例では、テンション材Ｔ1と梁Ｂとの最大距離Ｓ0が大きく確保されるので、張力ｔは比較的小さくてよく、更に、テンション材Ｔ1は１セットでよいのでコスト的にも有利である。
【００２８】
なお、テンション材Ｔ1の取付け位置は、梁Ｂの両梁端部ＢC、ＢDよりも高くしても良いが、その場合は、最大距離Ｓ0が短くなるのでテンション材Ｔ1の効果が低下するため、より大きな張力ｔを導入する必要がある。
【００２９】
また、図４に点線で図示のように、テンション材Ｔ1の位置よりも高く積まれた屋外貯蔵物１aの場合には、屋外貯蔵物１がテンション材Ｔ1と干渉するので適用できない。
【００３０】
次に、梁Ｂの両梁端部ＢC、ＢDを結ぶ直線Ｌの位置よりも屋外貯臓物１の高さが高い場合に好適な、本発明の第２実施例を説明する（図１、図３および図７乃至図９を参照）。
なお、工程１〜３は、実施例１で説明した工程とほぼ同じなので、説明を省略し、工程４から説明する。
（４）工程１〜３で組立てられた各部分架構３ａ、３ｂ、…に対して、剛接合部ｎ1側の柱Ａ1の柱脚部Ｆと梁Ｂの中間部とを繋ぐテンション材Ｔ1と、回転許容接合部ｎ2側の梁Ｂの梁端部ＢCと梁Ｂの中間部とを繋ぐテンション材Ｔ2を、それぞれ両者相互に可能な限り大きく交差するように、かつ屋外貯蔵物１と干渉しないように設置する（図７参照）。
（５）次に、テンション材Ｔ1，Ｔ2に張力ｔを導入して、各部分架構３ａ、３ｂ、…をそれぞれ構造的に安定させて自立させる（図７参照）。
（６）次に、自立した部分架構３ａ、３ｂ、…を、スライド用レール２、２の上をスライドさせて屋外貯蔵物１の所定位置まで、順次スライド移動する（図７参照）。
（７）工程（３）〜（６）を、屋外貯蔵物１全体もしくはその必要な範囲を覆うまで繰り返す。
（８）次に、部分架構３ａ、３ｂ、…のスライド移動工程が全て完了した後、回転許容接合部ｎ2側の柱Ａ2の柱頭部Ｃと梁Ｂの梁端部ＢCとの接合部に挿入部材ｍを追加して、柱Ａ2の柱頭部Ｃと梁端部ＢCとの接合部を剛接合にする（図８参照）。また、部分架構３ａ、３ｂ、…どうしを接合する。
（９）そして、その後、テンション材Ｔ1、Ｔ2の張力ｔを解除し、テンション材Ｔ1、Ｔ2を撤去して上屋架構３の施工を完了する（図９参照）。
【００３１】
第２実施例は以上の通りであるので、次のような特徴がある。図７に図示のように、柱脚部Ｆと梁Ｂの中間部を繋ぐテンション材Ｔ1と梁Ｂとの最大距離Ｓ1は、第１実施例（図４参照）のＳ0よりもかなり短くなるので、張力ｔの導入量をより大きくする必要があり、また、テンション材Ｔ1、Ｔ2は１構面当り少なくとも２セット必要であるが、屋外貯蔵物１の高さが高い場合でも、柱脚部Ｆ、Ｆに水平反力ＲHを発生させることなく、かつ変形量を制御できるので、設計通りの架構を構築することが可能になる。
【００３２】
次に、屋外貯臓物１の高さが高く、かつ、屋外貯臓物１と両側の柱Ａ1、Ａ2との空間が狭い場合に好適な、本発明の第３実施例を説明する（図１、図３および図１０乃至図１２を参照）。なお、工程１〜３は、実施例１で説明した工程とほぼ同じなので、説明を省略し、工程４から説明する。
（４）工程１〜３で組み立てられた部分架構３ａ、３ｂ、…の梁Ｂの梁端部ＢCおよびＢDと梁Ｂの中間部とを繋ぐテンション材Ｔ1、Ｔ2を、それぞれ両者相互に可能な限り大きく交差するように、かつ屋外貯蔵物１に干渉しない高さに取り付ける（図１０参照）。
（５）次に、テンション材Ｔ1、Ｔ2に張力ｔを導入して、部分架構３ａ、３ｂ、…を構造的に安定させて自立させる工程（図１０参照）。
（６）次に、自立した部分架構３ａ、３ｂ、…を、スライド用レール２、２の上をスライドさせて屋外貯蔵物１の所定位置までスライド移動させる（図１０参照）。
（７）工程（３）〜（６）を、屋外貯蔵物１の全体もしくはその必要な範囲を覆うまで繰り返す。
（８）部分架構３ａ、３ｂ、…のスライド移動工程が全て完了した後、回転許容接合部ｎ2側の柱Ａ2の柱頭部Ｃと梁Ｂの梁端部ＢCとの接合部に挿入部材ｍを追加して、柱Ａ2の柱頭部Ｃと梁端部ＢCを剛接合にする（図１１参照）。また、部分架構３ａ、３ｂ、…どうしを接合する。
（９）その後、テンション材Ｔ1、Ｔ2の張力ｔを解除し、テンション材Ｔ1、Ｔ2を撤去して上屋架構３の施工を完了する（図１２参照）。
【００３３】
第３実施例は以上の通りであるので、次のような特徴がある。第３実施例では、図１０に図示のように、梁Ｂの梁端部ＢCおよびＢDと梁Ｂの中間部とを繋ぐテンション材Ｔ1(Ｔ2)と梁Ｂとの最大距離Ｓ2は、第２実施例（図７参照）のＳ1よりも短くなるので、張力ｔの導入量をもっと大きくする必要があり、また、テンション材Ｔ1、Ｔ2は１構面当り少なくとも２セット必要であるが、屋外貯蔵物１の高さが高く、かつ、屋外貯臓物１と両側の柱Ａ1、Ａ2との空間が狭い場合であっても、柱脚部Ｆ、Ｆに水平反力ＲHを発生させることなく、かつ変形量を制御できるので、設計通りの架構を構築することが可能になる。
【００３４】
なお、以上の各実施例において、挿入部材ｍを追加する位置は、柱Ａ2の柱頭部Ｃと梁Ｂの端部ＢCとの接合部の屋内側（屋外側が回転許容接合。図５他参照）となっているが、屋外側（屋内側が回転許容接合。図示せず）でもよい。
【００３５】
また、本発明に係る屋外貯蔵物の上屋架構は、上記実施例の何れかのスライド工法で用いられ、部分架構３ａ、３ｂ、…において、以下に記載のように、少なくとも剛接合ｎ1側の梁端部ＢDに座屈拘束ブレース等のエネルギー吸収部材（図示せず）を組み込むことにより、複数の部分架構３ａ、３ｂ、…を屋外貯蔵物１の所定位置に設置して上屋架構３が完成した後だけでなく、部分架構３ａ、３ｂ、…のスライド移動中に発生する地震に対しても安全性が向上する。
なお、座屈拘束ブレース等のエネルギー吸収部材は、必要に応じて、剛接合部ｎ1側の一部の梁端部ＢDまたは全ての梁端部ＢDに設けてもよく、また、剛接合部ｎ1側および回転許容接合部ｎ2側の両方の梁端部ＢC、ＢDに設けてもよい。
【００３６】
上屋架構３の部分架構３ａ、３ｂ、…は、スライド移動が完了するまでの間は、柱Ａ2の柱頭部Ｃと梁Ｂの梁端部ＢCとの接合部には挿入部材ｍが無い状態であり、張間方向の地震力に対して、挿入部材ｍが追加された後に比べ耐震性がかなり劣ることは明らかである。また、スライド移動中において、張間方向の地震が発生した時、剛接合部ｎ1側の柱頭部Ｄと梁端部ＢDとの接合部に作用する曲げモーメントは、完成後の架構に比べて相当に大きく、梁端部ＢDに位置する部材には圧縮と引張の高軸力が繰り返し作用する。
【００３７】
以上のことから、このような位置（梁端部ＢD）にある部材を座屈拘束ブレース等のエネルギー吸収能力の高い部材（図示せず）とすれば、部分架構３ａ、３ｂ、…のスライド移動中に大きな地震が発生しても、その座屈拘束ブレース等がエネルギーを吸収して、部分架構３ａ、３ｂ、…のその他部位が損傷することを避けることが可能になる。
【００３８】
更にまた、梁端部ＢC側にある挿入部材ｍ（図５他参照）も座屈拘束ブレース等のエネルギー吸収部材とすれば、完成後の上屋３は、大地震時には、梁Ｂの両梁端部ＢC、ＢDの２カ所でエネルギー吸収するので、より高い耐震性能を有する上屋３が建設可能になる。
【産業上の利用可能性】
【００３９】
本発明は、屋外に貯蔵されている既存の屋外貯蔵物（燃料用木質チップや石炭等）を、その場所に存置のまま貯蔵物上屋を建設する施工法としてスライド工法が採用された場合に、上屋のスライド移動中における柱脚部の水平反力を抑制できるので、従来のスライド工法に比べて施工中の安全性向上が図れ、かつ基礎構造の簡素化による工事費縮減にも大きく寄与するものである。
【符号の説明】
【００４０】
１：屋外貯蔵物
１ａ：屋外貯蔵物
２：スライド用レール
３：上屋(貯蔵物上屋)
３ａ、３ｂ：部分架構
Ａ1：剛接合部側の柱
Ａ2：回転許容接合部側の柱
Ｂ：梁
ＢC：回転許容接合部側の梁端部、
ＢD：剛接合部側の梁端部
Ｃ：柱頭部
Ｄ：柱頭部
Ｆ：柱脚部
Ｔ1:テンション材
Ｔ2：テンション材
ｔ：張力
ｍ：挿入部材
ｎ1：剛接合部
ｎ2：回転許容接合部
δ：水平変位
ＲH：水平反力
ＲV：垂直反力
【図１】
2019082056.tif 000003
【図２】
2019082056.tif 000004
【図３】
2019082056.tif 000005
【図４】
2019082056.tif 000006
【図５】
2019082056.tif 000007
【図６】
2019082056.tif 000008
【図７】
2019082056.tif 000009
【図８】
2019082056.tif 000010
【図９】
2019082056.tif 000011
【図１０】
2019082056.tif 000012
【図１１】
2019082056.tif 000013
【図１２】
2019082056.tif 000014